(57)【特許請求の範囲】
【請求項１】
吸収性物品を載せるための前後に長いシート材の左右辺部それぞれに、着用者の大腿の付け根に下方から嵌装するための弾性を有する円弧状の芯材を取り付け、シート材が芯材に対して取り外し可能に取り付けたものである、吸収性物品の装着具。
【請求項２】
吸収性物品を一体的に備えた前後に長いシート材の左右辺部に、着用者の大腿の付け根に下方から嵌装するための弾性を有する円弧状の芯材を取り付け、シート材が芯材に対して取り外し可能に取り付けたものである、吸収性物品の装着具。
【請求項３】
芯材の端部に取っ手を備えた、請求項１又は２記載の吸収性物品の装着具。
【請求項４】
吸収性物品を載せるための前後に長いシート材の左右辺部それぞれに、着用者の大腿の付け根に下方から嵌装するための弾性を有する円弧状の芯材を取り付け、左右の芯材が、その端部同士を展開可能に軸支したもの、又は端部同士が一体化されたものである、吸収性物品の装着具。
【請求項５】
シート材が、その左右辺部を左右の芯材に巻き付け、面ファスナーで取り外し可能に固定したものである、請求項１〜３いずれかに記載の吸収性物品の装着具。
【請求項６】
シート材が、布材の左右端を内側に折り曲げて中空となるように縫止し、布材の中空部に左右の芯材を挿入したものである、請求項１〜３いずれかに記載の吸収性物品の装着具。
【請求項７】
左右の芯材が、その端部同士を展開可能に軸支したもの、又は端部同士が一体化されたものである、請求項１，２，３，５，６いずれか記載の吸収性物品の装着具。
【請求項８】
吸収性物品を一体的に備えた前後に長いシート材の左右辺部に、着用者の大腿の付け根に下方から嵌装するための弾性を有する円弧状の芯材を取り付け、左右の芯材が、その端部同士を展開可能に軸支したもの、又は端部同士が一体化されたものである、吸収性物品の装着具。
【請求項９】
吸収性物品を載せるための前後に長いシート材の左右辺部それぞれに、着用者の大腿の付け根に下方から嵌装するための弾性を有する円弧状の芯材を取り付け、芯材の端部に取っ手を備え、左右の芯材が、その端部同士を展開可能に軸支したもの、又は端部同士が一体化されたものである、吸収性物品の装着具。
【請求項１０】
吸収性物品を一体的に備えた前後に長いシート材の左右辺部に、着用者の大腿の付け根に下方から嵌装するための弾性を有する円弧状の芯材を取り付け、芯材の端部に取っ手を備え、左右の芯材が、その端部同士を展開可能に軸支したもの、又は端部同士が一体化されたものである、吸収性物品の装着具。
【請求項１１】
股部を覆うための前後に長い下着生地のシート材の左右辺部それぞれに、着用者の大腿の付け根に下方から嵌装するための弾性を有する円弧状の芯材を取り付け、シート材が芯材に対して取り外し可能に取り付けたものである、下着。
【請求項１２】
吸収性物品を一体的に備えた前後に長い下着生地のシート材の左右辺部に、着用者の大腿の付け根に下方から嵌装するための弾性を有する円弧状の芯材を取り付け、シート材が芯材に対して取り外し可能に取り付けたものである、下着。
【請求項１３】
芯材の端部に取っ手を備えた、請求項１１又は１２記載の下着。
【請求項１４】
シート材が、その左右辺部を左右の芯材に巻き付け、面ファスナーで取り外し可能に固定したものである、請求項１１〜１３いずれかに記載の下着。
【請求項１５】
シート材が、布材の左右端を内側に折り曲げて中空となるように縫止し、布材の中空部に左右の芯材を挿入したものである、請求項１１〜１３いずれかに記載の下着。
【請求項１６】
股部を覆うための前後に長い下着生地のシート材の左右辺部それぞれに、着用者の大腿の付け根に下方から嵌装するための弾性を有する円弧状の芯材を取り付け、左右の芯材が、その端部同士を展開可能に軸支したもの、又は端部同士が一体化されたものである、下着。
【請求項１７】
吸収性物品を一体的に備えた前後に長い下着生地のシート材の左右辺部に、着用者の大腿の付け根に下方から嵌装するための弾性を有する円弧状の芯材を取り付け、左右の芯材が、その端部同士を展開可能に軸支したもの、又は端部同士が一体化されたものである、下着。
【請求項１８】
芯材の端部に取っ手を備えた、請求項１６又は１７記載の下着。
【請求項１９】
左右の芯材が、その端部同士を展開可能に軸支したもの、又は端部同士が一体化されたものである、請求項１１〜１５いずれかに記載の下着。
【発明の詳細な説明】
【技術分野】
【０００１】
本発明は、生理時において、入浴した直後やシャワーを浴びた直後から下着を着用するまでの間に経血を受け止めるために一時的に使用される吸収性物品の装着具、尿取り用として使用される吸収性物品の装着具、足を通さないで装着できる下着に関する。
【背景技術】
【０００２】
従来、生理時に入浴できるようにするための入浴用下着が特許文献１〜３に開示されている。これらの技術は、伸縮性及び防水性の材料を使用し、胴部及び大腿部の開口縁が着用時に身体と密接できるようにしたことを特徴としている。この構成により、使用中は下着内への浸水と外部への経血の漏出を防止できるようにしている。しかし、これらの技術では、入浴後に入浴用下着を脱いで通常の下着へ穿き替える際、足を閉じて吸収性物品を手で押さえて経血が滴下しないようにしていた。
【０００３】
これに対し、入浴した直後やシャワーを浴びた直後から下着を着用するまでの間に経血を受け止めるために一時的に使用される風呂上がり用ショーツが特許文献４に開示されている。この技術は、股部を覆う吸水性シートに環状の伸縮ベルトを分離可能に取り付けたことを特徴としている。この構成により、入浴後は通常の下着を一旦膝まで穿いておき、伸縮ベルトを分離して吸水性シートを股部から取り外した後に生理用下着を引き上げることで、経血が滴下し難くしたものである。
【０００４】
しかしながら、前記特許文献４の技術は、吸水性シートを伸縮ベルトに取り付ける作業が面倒で使用するまでに手間を要し、また、吸水性シートに伸縮ベルトを取り付ける際の位置は予め着用者の体型に合わせて設計しないと股部との間に隙間が生じ易く、調整もできないものであった。さらに、装着時は吸水性シートと伸縮ベルトとの間に足を通す必要があり、下半身が不自由な人に対しては使用が困難であった。
【特許文献１】特開２００５−２７８８４８号公報
【特許文献２】実用新案登録第３０１７７９６号公報
【特許文献３】実開昭６３−６２１３８号公報
【特許文献４】特開２００３−１７５０７８号公報
【発明の開示】
【発明が解決しようとする課題】
【０００５】
本発明が解決しようとする課題は、従来のこれらの問題点を解消し、装着が簡便で短時間に行え、しかも着用者の体型に係わらずに使用できる吸収性物品の装着具及び下着を提供することにある。
【課題を解決するための手段】
【０００６】
かかる課題を解決した本発明の構成は、
１）  吸収性物品を載せるための前後に長いシート材の左右辺部それぞれに、着用者の大腿の付け根に下方から嵌装するための弾性を有する円弧状の芯材を取り付け、シート材が芯材に対して取り外し可能に取り付けたものである、吸収性物品の装着具
２）  吸収性物品を一体的に備えた前後に長いシート材の左右辺部に、着用者の大腿の付け根に下方から嵌装するための弾性を有する円弧状の芯材を取り付け、シート材が芯材に対して取り外し可能に取り付けたものである、吸収性物品の装着具
３）  芯材の端部に取っ手を備えた、前記１）又は２）記載の吸収性物品の装着具
４）  吸収性物品を載せるための前後に長いシート材の左右辺部それぞれに、着用者の大腿の付け根に下方から嵌装するための弾性を有する円弧状の芯材を取り付け、左右の芯材が、その端部同士を展開可能に軸支したもの、又は端部同士が一体化されたものである、吸収性物品の装着具
５）  シート材が、その左右辺部を左右の芯材に巻き付け、面ファスナーで取り外し可能に固定したものである、前記１）〜３）いずれかに記載の吸収性物品の装着具
６）  シート材が、布材の左右端を内側に折り曲げて中空となるように縫止し、布材の中空部に左右の芯材を挿入したものである、前記１）〜３）いずれかに記載の吸収性物品の装着具
７）  左右の芯材が、その端部同士を展開可能に軸支したもの、又は端部同士が一体化されたものである、前記１），２），３），５），６）いずれか記載の吸収性物品の装着具
８）  吸収性物品を一体的に備えた前後に長いシート材の左右辺部に、着用者の大腿の付け根に下方から嵌装するための弾性を有する円弧状の芯材を取り付け、左右の芯材が、その端部同士を展開可能に軸支したもの、又は端部同士が一体化されたものである、吸収性物品の装着具
９）  吸収性物品を載せるための前後に長いシート材の左右辺部それぞれに、着用者の大腿の付け根に下方から嵌装するための弾性を有する円弧状の芯材を取り付け、芯材の端部に取っ手を備え、左右の芯材が、その端部同士を展開可能に軸支したもの、又は端部同士が一体化されたものである、吸収性物品の装着具
１０）  吸収性物品を一体的に備えた前後に長いシート材の左右辺部に、着用者の大腿の付け根に下方から嵌装するための弾性を有する円弧状の芯材を取り付け、芯材の端部に取っ手を備え、左右の芯材が、その端部同士を展開可能に軸支したもの、又は端部同士が一体化されたものである、吸収性物品の装着具
１１）  股部を覆うための前後に長い下着生地のシート材の左右辺部それぞれに、着用者の大腿の付け根に下方から嵌装するための弾性を有する円弧状の芯材を取り付け、シート材が芯材に対して取り外し可能に取り付けたものである、下着
１２）  吸収性物品を一体的に備えた前後に長い下着生地のシート材の左右辺部に、着用者の大腿の付け根に下方から嵌装するための弾性を有する円弧状の芯材を取り付け、シート材が芯材に対して取り外し可能に取り付けたものである、下着
１３）  芯材の端部に取っ手を備えた、前記１１）又は１２）記載の下着
１４）  シート材が、その左右辺部を左右の芯材に巻き付け、面ファスナーで取り外し可能に固定したものである、前記１１）〜１３）いずれかに記載の下着
１５）  シート材が、布材の左右端を内側に折り曲げて中空となるように縫止し、布材の中空部に左右の芯材を挿入したものである、前記１１）〜１３）いずれかに記載の下着
１６）  股部を覆うための前後に長い下着生地のシート材の左右辺部それぞれに、着用者の大腿の付け根に下方から嵌装するための弾性を有する円弧状の芯材を取り付け、左右の芯材が、その端部同士を展開可能に軸支したもの、又は端部同士が一体化されたものである、下着
１７）  吸収性物品を一体的に備えた前後に長い下着生地のシート材の左右辺部に、着用者の大腿の付け根に下方から嵌装するための弾性を有する円弧状の芯材を取り付け、左右の芯材が、その端部同士を展開可能に軸支したもの、又は端部同士が一体化されたものである、下着
１８）  芯材の端部に取っ手を備えた、前記１６）又は１７）記載の下着
１９）  左右の芯材が、その端部同士を展開可能に軸支したもの、又は端部同士が一体化されたものである、前記１１）〜１５）いずれかに記載の下着
にある。
【発明の効果】
【０００７】
本発明では、入浴後、シート材に生理用ナプキン等の吸収性物品を載せ、左右の芯材を股間に通してシート材を股部に当てて持ち上げるとともに、左右の芯材を広げながら大腿の付け根に嵌装し、その芯材の復元力で下腹部と臀部を押圧して装着する。その後自由になった両手で身体を拭いて通常の下着を途中まで穿き、吸収性物品を下着に残しながら装着具を股部から引き抜き、下着を引き上げる。あるいは、新しい吸収性物品を装着した下着を途中まで穿き、装着具を吸収性物品とともに股部から引き抜き、下着を引き上げる。
【０００８】
このように、本発明によれば装着具を下方から股間に通して持ち上げるだけで芯材の復元力により装着できるから、従来技術のように吸水性シートをベルトに取り付ける等の事前の作業が不要で、装着が簡便で短時間に行える。また、シート材と芯材は下方から押さえ付けるだけであるから、着用者の体型に関係する部位が特になく、基本的にどのような体型でも使用できる。さらに、装着時に足を通す必要がないから、下半身が不自由な人でも足を広げたり動かしたりすることなく容易に装着できる。
【０００９】
下着として着用する場合も、前記と同様に装着時に足を通す必要がないから、下半身が不自由な人や足腰が弱い人でも足を広げたり動かしたりすることなく装着が容易で、しかも片手で迅速に行える。
【発明を実施するための最良の形態】
【００１０】
本発明では、シート材を芯材に対して取り外し可能に取り付けると、シート材を使い捨てにして新品と交換したり、再使用のための洗浄が容易にできる。芯材の後端部に取っ手を取り付けると、装着時に指を掛けて持ち上げ易くできる。シート材は、別体の吸収性物品を重ねて載せるようにしたもの、又は吸収性物品を一体的に備えた布製又はビニール製のものが用いられる。吸収性物品としては、生理用ナプキン・生理用ライナー・尿取りパッド・尿取りライナー等がある。芯材としては、所定の長さに形成したもの、スライドにより長さを調整できるようにしたもの、折り畳み自在にしたもの等が使用できる。本発明の吸収性物品の装着具は、シート材に下着生地を用いて常用の下着として使用することも可能である。以下、本発明の各実施例を図面に基づいて具体的に説明する。
【実施例１】
【００１１】
図１〜３に示す実施例１は、装着具に生理用ナプキンを載せて使用できるようにした例である。図１は実施例１の装着具の斜視図、図２は実施例１の装着具の使用状態を示す正面図、図３は実施例１の装着具の使用状態を示す背面図である。図中、１０は装着具、１１は芯材、１２は取っ手、１３はシート材、１３ａは巻付け部、１３ｂは面ファスナー、１３ｃは伸縮部、２０は生理用ナプキン、Ｈは着用者である。
【００１２】
図１に示すように、芯材１１は弾性を有するプラスチック製の棒材をＶ字状に曲折し、その左右の芯材１１を標準的な体型の人の大腿の付け根よりやや深い円弧状に湾曲させ、着用者Ｈの後側となる先端部には環状の取っ手１２を取り付け、着用者Ｈの前側となる先端部は安全のために丸く形成している。
【００１３】
シート材１３は略三角形状の通気性を有する布材で、左右端に巻付け部１３ａを形成し、巻付け部１３ａの内側に面ファスナー１３ｂを部分的に取り付け、巻付け部１３ａを左右の芯材１１に巻き付けて面ファスナー１３ｂで取り外し可能に固定している。前端にはゴムを挿入し、ひだ状に細かく縫い縮めて伸縮部１３ｃを形成している。
【００１４】
実施例１では、図２，３に示すように入浴後、シート材１３に生理用ナプキン２０を載せ、左右の芯材１１を股間に通してシート材１３を股部に当てるとともに指を取っ手１２に掛けて持ち上げ、左右の芯材１１を広げながら大腿の付け根に嵌装し、その芯材１１の復元力で下腹部と臀部を押圧して装着する。その後自由になった両手で身体を拭いて通常の下着を穿き、生理用ナプキン２０を下着に残しながら装着具１０を股部から引き抜き、下着を引き上げる。あるいは、新しい吸収性物品２０を装着した下着を途中まで穿き、装着具１０を吸収性物品２０とともに股部から引き抜き、下着を引き上げる。
【実施例２】
【００１５】
図４に示す実施例２は、左右の芯材同士を展開可能に軸支するとともに、シート材に生理用ナプキンを一体的に設けた例である。図４は実施例２の装着具の斜視図である。図中、１１ａは軸、１３ｄは生理用ナプキンである。
【００１６】
実施例２では、図４に示すように左右の芯材１１の後端部と取っ手１２とを軸１１ａで展開可能に軸支しており、左右の芯材１１の角度が容易に変化して装着後に着用者Ｈが動き易くしている。また、シート材１３に生理用ナプキン１３ｄを一体的に備えており、使用後はシート材１３を芯材１１から取り外して破棄する使い捨て用品となっている。その他、符号、構成、作用効果は実施例１と同じである。
【実施例３】
【００１７】
図５に示す実施例３は、取っ手に備えたフックにシート材を掛止して取り外し可能に固定した例である。図５は実施例３の装着具の斜視図である。図中、１２ａはフック、１３ｅは掛止穴である。
【００１８】
実施例３では、図５に示すように取っ手１２の下部にフック１２ａを設け、シート材１３の後部に掛止穴１３ｅを開口している。この掛止穴１３ｅをフック１２ａに掛止するとともに、巻付け部１３ａを左右の芯材１１に外側から巻き付けて面ファスナー１３ｂで取り外し可能に固定している。したがって、フック１２ａに掛止することで使用中にシート材１３が芯材１１からずれ難い。その他、符号、構成、作用効果は実施例１と同じである。
【実施例４】
【００１９】
図６に示す実施例４は、中空に形成した伸縮性を有するシート材に左右の芯材を挿入した例である。図６は実施例４の装着具の斜視図である。図中、１３ｆは通し穴である。
【００２０】
実施例４では、図６に示すように伸縮性を有する布材の左右端を折り曲げて中空となるように縫止し、前側の左右部分を一部縫合して通し穴１３ｆを形成し、左右の芯材１１を後方から挿入した後に通し穴１３ｆに挿入して固定している。また、シート材１３自体が伸縮性を有しているから伸縮部１３ｃは省略している。その他、符号、構成、作用効果は実施例１と同じである。
【実施例５】
【００２１】
図７，８に示す実施例５は、左右の芯材を連結せずに独立させて取っ手を設けるとともに、シート材を芯材に縫止した例である。図７は実施例５の装着具の斜視図、図８は実施例４の装着具の使用状態を示す背面図である。
【００２２】
実施例５では、図７に示すように左右の芯材１１を別体とし、その後端部を環状に変形させて取っ手１２を形成している。シート材１３は長方形状で、巻付け部１３ａを左右の芯材１１に内側から巻き付けて縫止している。装着時は左右の取っ手１２をそれぞれ持ち上げ、図８に示すような形態となる。芯材１１の後側は左右に大きく広げて大腿と臀部との間に嵌装することもできる。また、実施例５の装着具１０は前後を逆にして着用することもできる。その他、符号、構成、作用効果は実施例１と同じである。
【産業上の利用可能性】
【００２３】
本発明の吸収性物品の装着具及び下着は、生理時に入浴した後から下着を着用するまでの一時的な用途・尿取り用・生理用下着・ファッション下着等として利用される。
【図面の簡単な説明】
【００２４】
【図１】実施例１の装着具の斜視図である。
【図２】実施例１の装着具の使用状態を示す正面図である。
【図３】実施例１の装着具の使用状態を示す背面図である。
【図４】実施例２の装着具の斜視図である。
【図５】実施例３の装着具の斜視図である。
【図６】実施例４の装着具の斜視図である。
【図７】実施例５の装着具の斜視図である。
【図８】実施例５の装着具の使用状態を示す背面図である。
【符号の説明】
【００２５】
１０  装着具
１１  芯材
１１ａ  軸
１２  取っ手
１２ａ  フック
１３  シート材
１３ａ  巻付け部
１３ｂ  面ファスナー
１３ｃ  伸縮部
１３ｄ  生理用ナプキン
１３ｅ  掛止穴
１３ｆ  通し穴
２０  生理用ナプキン
Ｈ  着用者
【図１】
0004436873.tif 000002
【図２】
0004436873.tif 000003
【図３】
0004436873.tif 000004
【図４】
0004436873.tif 000005
【図５】
0004436873.tif 000006
【図６】
0004436873.tif 000007
【図７】
0004436873.tif 000008
【図８】
0004436873.tif 000009